(57)【要約】【課題】所望のデータを容易に探し出すことができるようにする。【解決手段】複数のファイル及びフォルダのそれぞれのアイコンを互いに重ねて表示させると共に、重ねて表示した複数のアイコンに対してめくり操作を行うことで任意のアイコンを見開くように移動させて表示させるようにしたことにより、複数のアイコンのなかから所望のアイコンを探し出す操作を、本のページをめくるような感覚で、より直感的に分かり易くすることができ、また、これら複数のアイコンのそれぞれに対応するファイルやフォルダの内容を示す複数のアイコンを互いに重ならないように表示させるようにしたことにより、各アイコンの内容をユーザに視認させることができるので、所望のファイルやフォルダのアイコンを容易に探し出すことができ、この結果、所望のデータを容易に探し出すことができる。【選択図】図１２
2007257336.tif 000002
【特許請求の範囲】
【請求項１】
複数のデータ及び当該複数のデータの論理的な記憶場所のそれぞれを選択項目として、複数の選択項目のそれぞれを示す複数の選択項目表示子を互いに重ねて表示部に表示させると共に、当該複数の選択項目表示子のそれぞれに対応する選択項目の内容を示す複数の項目内用表示子を当該内容が視認できるように上記表示部に表示させる表示制御手段と、
重ねて表示された上記複数の選択項目表示子に対して、所定の操作を行うための操作手段と
を具え、
上記表示制御手段は、
上記操作手段による所定の操作に基づき、上記重ねて表示した複数の選択項目表示子のうちの任意の選択項目表示子を本のページを見開くように移動させて表示させる
ことを特徴とする情報処理装置。
【請求項２】
上記表示制御手段は、
上記選択項目表示子の表示位置の近傍に、上記項目内用表示子を表示させる
ことを特徴とする請求項１に記載の情報処理装置。
【請求項３】
上記表示制御手段は、
上記項目内用表示子を互いに重ならないように表示させる
ことを特徴とする請求項１に記載の情報処理装置。
【請求項４】
上記表示制御手段は、
上記項目内用表示子が互いに重ならないように、上記項目内用表示子の表示サイズを設定する
ことを特徴とする請求項３に記載の情報処理装置。
【請求項５】
上記表示制御手段は、
上記項目内用表示子が互いに重ならないように、上記項目内用表示子の表示の向きを設定する
ことを特徴とする請求項３に記載の情報処理装置。
【請求項６】
上記表示制御手段は、
上記項目内用表示子が重ならないように、上記項目内用表示子の表示サイズ及び表示の向きを設定する
ことを特徴とする請求項３に記載の情報処理装置。
【請求項７】
上記表示制御手段は、
上記選択項目表示子の移動に応じて、上記選択項目表示子を移動させて表示させる
ことを特徴とする請求項１に記載の情報処理装置。
【請求項８】
複数のデータ及び当該複数のデータの論理的な記憶場所のそれぞれを選択項目として、複数の選択項目のそれぞれを示す複数の選択項目表示子を互いに重ねて表示部に表示させると共に、当該複数の選択項目表示子のそれぞれに対応する選択項目の内容を示す複数の項目内用表示子を当該内容が視認できるように上記表示部に表示させる第１の表示制御ステップと、
重ねて表示された上記複数の選択項目表示子に対して、所定の操作が操作手段により行われると、当該操作に基づき、上記重ねて表示された複数の選択項目表示子のうちの任意の選択項目表示子を本のページを見開くように移動させて表示させる第２の表示制御ステップと
を具えることを特徴とする情報処理方法。
【請求項９】
情報処理装置に対して、
複数のデータ及び当該複数のデータの論理的な記憶場所のそれぞれを選択項目として、複数の選択項目のそれぞれを示す複数の選択項目表示子を互いに重ねて表示部に表示させると共に、当該複数の選択項目表示子のそれぞれに対応する選択項目の内容を示す複数の項目内用表示子を当該内容が視認できるように上記表示部に表示させる第１の表示制御ステップと、
重ねて表示された上記複数の選択項目表示子に対して、所定の操作が操作手段により行われると、当該操作に基づき、上記重ねて表示された複数の選択項目表示子のうちの任意の選択項目表示子を本のページを見開くように移動させて表示させる第２の表示制御ステップと
を実行させるための情報処理プログラム。
【発明の詳細な説明】
【技術分野】
【０００１】
本発明は、情報処理装置、情報処理方法及びそのプログラムに関し、複数のデータから所望のデータを探し出す際に適用して好適なものである。
【背景技術】
【０００２】
従来より、情報処理装置である例えばパーソナルコンピュータでは、各種データをファイルとして、ハードディスクドライブに構築した階層化された論理的な記憶場所であるフォルダの配下に記憶して管理するようになされている。また、このようなパーソナルコンピュータの多くは、フォルダ及びファイルのそれぞれをアイコンとしてディスプレイに表示すると共に、ディスプレイに表示したアイコンをマウスで操作できるようにして、フォルダに対する操作（例えば、フォルダの選択、コピー、削除など）、及びファイルに対する操作（例えば、ファイルの選択、コピー、削除など）を容易にするＧＵＩ（Graphical User Interface）を有している。
【０００３】
ところで、パーソナルコンピュータには、その記憶容量にも依るが、例えば数百以上のファイルを記憶することが可能であるため、このような多くのファイルのなかからユーザが所望のファイル（つまりデータ）を容易に探し出すことのできるようなＧＵＩが要求される。
【０００４】
そこで近年、例えば、ファイルの内容（例えば画像ファイルであればその画像）を示すアイコンを本のページのように重ねて表示すると共に、この重ねて表示したアイコンのうちの所望のファイルに対応するアイコンを、ページをめくるような操作によって見開くように表示することにより、複数のアイコンのなかから所望のファイルに対応するアイコンを探し出す操作を、より直感的に分かり易くしたＧＵＩを有する情報処理装置が提案されている（例えば特許文献１参照）。
【特許文献１】特開平４−３１６１２５号公報（第７乃至１４図）
【発明の開示】
【発明が解決しようとする課題】
【０００５】
ところで、上述した従来のＧＵＩでは、複数のアイコンのなかから所望のファイルに対応するアイコンを探し出す操作を、より直感的に分かり易くしてはいるものの、アイコンが重ねて表示されるため、アイコンをめくって見開いてみなければ、それぞれのアイコンを確認することができず、結局のところ、複数のアイコンのなかから所望のファイルに対応するアイコンを容易に探し出すことができるとは言い難かった。つまり、従来のＧＵＩでは、ユーザが所望のデータを容易に探し出すことができるとは言い難かった。
【０００６】
本発明は以上の点を考慮してなされたもので、所望のデータを容易に探し出すことができる情報処理装置、情報処理方法及びそのプログラムを提案しようとするものである。
【課題を解決するための手段】
【０００７】
かかる課題を解決するため本発明においては、複数のデータ及び当該複数のデータの論理的な記憶場所のそれぞれを選択項目として、複数の選択項目のそれぞれを示す複数の選択項目表示子を互いに重ねて表示部に表示させると共に、当該複数の選択項目表示子のそれぞれに対応する選択項目の内容を示す複数の項目内用表示子を当該内容が視認できるように表示部に表示させる表示制御手段と、重ねて表示された複数の選択項目表示子に対して、所定の操作を行うための操作手段とを設け、表示制御手段が、操作手段による所定の操作に基づき、重ねて表示された複数の選択項目表示子のうちの任意の選択項目表示子を本のページを見開くように移動させて表示させるようにした。
【０００８】
このように、本発明においては、複数のデータ及び当該複数のデータの論理的な記憶場所である複数の選択項目のそれぞれを示す複数の選択項目表示子を互いに重ねて表示させると共に、重ねて表示した複数の選択項目表示子に対して、所定の操作を行うことで、重ねて表示した複数の選択項目表示子のうちの任意の選択項目表示子を本のページを見開くように移動させて表示させるようにしたことにより、複数の選択項目表示子のなかから所望の選択項目表示子を探し出す操作を、本のページをめくるような感覚で、より直感的に分かり易くすることができる。
【０００９】
また、本発明においては、重ねて表示した複数の選択項目表示子のそれぞれに対応する選択項目の内容を示す複数の項目内用表示子を当該内容が視認できるように表示させるようにしたことにより、重ねて表示した複数の選択項目表示子のそれぞれを見開くように移動させて表示しなくとも、各選択項目表示子の内容をユーザに視認させることができる。
【発明の効果】
【００１０】
本発明によれば、複数のデータ及び当該複数のデータの論理的な記憶場所である複数の選択項目のそれぞれを示す複数の選択項目表示子を互いに重ねて表示部に表示させると共に、重ねて表示した複数の選択項目表示子に対して、所定の操作を行うことで、重ねて表示した複数の選択項目表示子のうちの任意の選択項目表示子を本のページを見開くように移動させて表示部に表示させるようにしたことにより、複数の選択項目表示子のなかから所望の選択項目表示子を探し出す操作を、本のページをめくるような感覚で、より直感的に分かり易くすることができ、また、重ねて表示した複数の選択項目表示子のそれぞれに対応する選択項目の内容を示す複数の項目内用表示子を当該内容が視認できるように表示させるようにしたことにより、重ねて表示した複数の選択項目表示子のそれぞれを見開くように移動させて表示しなくとも、各選択項目表示子の内容をユーザに視認させることができるので、所望の選択項目表示子を容易に探し出すことができ、かくして、所望のデータを容易に探し出すことができる情報処理装置、情報処理方法及びそのプログラムを実現することができる。
【発明を実施するための最良の形態】
【００１１】
以下図面について、本発明の一実施の形態を詳述する。
【００１２】
（１）パーソナルコンピュータの構成
図１において、１は全体として、仮想の三次元空間内にフォルダのアイコン（以下、これをフォルダアイコンとも呼ぶ）やファイルのアイコン（以下、これをファイルアイコンとも呼ぶ）などを配したＧＵＩを実現するハードウェアとしてのパーソナルコンピュータの構成を示し、ＣＰＵ２が、バス３を介して接続されたハードディスクドライブ４またはＲＯＭ（Read Only Memory）５から読み出したＯＳ（Operating System）や各種プログラムをＲＡＭ（Random Access Memory）６に展開して実行することによりＧＵＩを実現するようになされ、このＧＵＩに対する操作を操作入力部７で受け付け、このＧＵＩの画面（以下、これをＧＵＩ画面とも呼ぶ）を表示コントローラ８がＣＰＵ２の制御に基づいて表示部９に表示するようになされている。
【００１３】
また、このパーソナルコンピュータ１では、ＯＳを介して、プログラムやデータのファイルを、ハードディスクドライブ４に構築した階層化されたフォルダの配下に記憶して管理するようになされている。
【００１４】
次に、本発明のＧＵＩを実現するパーソナルコンピュータ１を、図２に示すような機能ブロックに置き換えて説明する。この場合のパーソナルコンピュータ１は、ユーザからの操作入力を受け付ける操作入力部７と、仮想の三次元空間に関する処理を行う仮想空間制御部１０と、ハードディスクドライブ４内のフォルダに関するフォルダ情報及びファイルに関するファイル情報を管理するファイル管理部１１と、ユーザからの操作入力によって選択されたファイルを実行するファイル実行部１２と、フォルダ及びファイルの操作及び管理に対する付加機能（コピー、削除、ショートカットの作成などの機能）を提供する付加機能提供部１３と、ユーザからの操作入力などによって表示部９に表示する表示内容を決定する表示内容決定部１４と、表示内容決定部１４で決定された表示内容を実際に表示する表示部９とで構成される。
【００１５】
操作入力部７は、例えばマウスとキーボードであり、ユーザからの操作入力を受け付けると、操作入力の結果として得られる情報（以下、これを操作入力情報とも呼ぶ）を、仮想空間制御部１０に送出する。ここで、操作入力情報は、例えば、表示部９に表示する画面全体を対象とした座標系（スクリーン座標系とも呼ぶ）での座標値（例えばマウスカーソルの位置）や、トリガーの有無（例えばマウスボタンのクリックの有無）などである。
【００１６】
仮想空間制御部１０は、仮想の三次元空間を構築すると共に、この三次元空間内でのフォルダアイコン及びファイルアイコンの位置や、この三次元空間を表示部９に表示するときに必要となる視点の位置及び向きなどを示す情報（以下、これを空間情報とも呼ぶ）を管理する。また、この仮想空間制御部１０は、操作入力部７より得られる操作入力情報に基づき、例えばマウスカーソルの移動に応じて空間情報に示される視点の位置及び向きを変更したり、マウスボタンがクリックされた位置にフォルダアイコンやファイルアイコンなどが存在するか否か（つまりフォルダアイコンやファイルアイコンがクリックされたか否か）を判定するようになされ、この判定の結果を示す情報（以下、これをクリック判定情報とも呼ぶ）を、ファイル管理部１１に送出すると共に、空間情報を表示内容決定部１４に送出する。
【００１７】
ファイル管理部１１は、仮想空間制御部１０から送られてきたクリック判定情報に、例えば、ファイルアイコンがクリックされた旨が示されていた場合、このクリックされたファイルアイコンに該当するファイルのファイル情報に選択ファイルである旨を記して、このファイル情報をファイル実行部１２及び付加機能提供部１３に送出する。また一方で、クリック判定情報に、例えばフォルダアイコンがクリックされた旨が示されていた場合、ファイル管理部１１は、このクリックされたフォルダアイコンに該当するフォルダのフォルダ情報に選択フォルダである旨を記して、このフォルダ情報を付加機能提供部１３に送出する。
【００１８】
ファイル実行部１２は、ファイル管理部１１から送られてくるファイル情報に基づき、選択ファイルを認識して、この選択ファイルを実行する。この結果、例えば、選択ファイルが音楽ファイルであれば、この音楽ファイルに基づく音楽が再生される。このときファイル管理部１１は、音楽ファイルを再生する旨を表示内容決定部１４に通知することで、音楽ファイルの再生に対応する画面を表示部９に表示させるようになされている。また、ファイル管理部１１は、例えば、選択ファイルが画像ファイルであれば、この画像ファイルに基づく画像を表示内容決定部１４を介して表示部９に表示させ、選択ファイルが文書ファイルであれば、この文書ファイルに基づく文書を編集可能な状態で表示内容決定部１４を介して表示部９に表示させるようになされている。
【００１９】
付加機能提供部１３は、ファイル管理部１１から送られてくるフォルダ情報やファイル情報に基づき、選択フォルダや選択ファイルに対して、付加機能であるコピー、削除、ショートカットの作成などに対応した処理を実行する。また、このとき付加機能提供部１３は、付加機能に対応した処理を実行する旨を表示内容決定部１４に通知するようになされている。
【００２０】
表示内容決定部１４は、仮想空間制御部１０から送られてくる空間情報や、ファイル実行部１２及び付加機能提供部１３からの通知に基づき、表示部９に表示する内容を決定して、この決定した内容に基づくＧＵＩ画面を表示する処理を行うようになされている。
【００２１】
ちなみに、仮想空間制御部１０、ファイル管理部１１、ファイル実行部１２、付加機能提供部１３及び表示内容決定部１４は、ＣＰＵ２と表示コントローラ８の機能のうちのＧＵＩの制御に係わる機能をブロック化したものである。
【００２２】
（２）ＧＵＩ画面の構成
次に、パーソナルコンピュータ１の表示部９に表示されるＧＵＩ画面の構成について説明する。まずパーソナルコンピュータ１のＣＰＵ２は、図３に示すように、互いに直交する三軸（Ｘ軸、Ｙ軸及びＺ軸）とそれらの交点とを基準とした仮想の三次元空間を構築して、この三次元空間内に、Ｘ軸及びＹ軸に平行な机に模した平面２０を配置する。ちなみに、ここでは、机の幅方向をＸ軸方向、机の奥行き方向をＹ軸方向、机の高さ方向をＺ軸方向とする。
【００２３】
さらにＣＰＵ２は、平面２０上に、パーソナルコンピュータ１内の各フォルダに対応する本を模した横長のフォルダアイコンＦｏと、パーソナルコンピュータ１内の各ファイルに対応する紙を模した横長のファイルアイコンＦｉとを配置する。
【００２４】
ここで、平面２０上に配置されるフォルダアイコンＦｏは、例えばパーソナルコンピュータ１内の全フォルダからランダムに選択された複数のフォルダのそれぞれに対応するアイコンであり、その表面には、図４に示すように、フォルダの名称が表示されるようになされている。またこのフォルダアイコンＦｏは、対応するフォルダ内のファイル数に応じた厚みを持つようになされている。つまり、フォルダアイコンＦｏは、その厚みにより、対応するフォルダの配下に記憶されているファイルの数を表すようになされている。
【００２５】
一方、平面２０上に配置されるファイルアイコンＦｉは、例えばパーソナルコンピュータ１内の全ファイルからランダムに選択された複数のファイルのそれぞれに対応するアイコンであり、その表面には、図５（Ａ）及び（Ｂ）に示すように、ファイルの内容が確認できるような画像や文字が表示されるようになされている。例えば、画像ファイルに対応するファイルアイコンＦｉの表面には、画像ファイルである旨を示すマークＰｍと、その画像ファイルに基づくサムネイル画像が表示されるようになされ、音楽ファイルに対応するファイルアイコンＦｉの表面には、音楽ファイルである旨を示すマークＭｍと、その音楽ファイルに基づく音楽のタイトルやアーティスト名が表示されるようになされている。
【００２６】
このようにして仮想の三次元空間内に、平面２０、複数のフォルダアイコンＦｏ及びファイルアイコンＦｉを配置すると、次に、ＣＰＵ２は、この三次元空間に対する視点の位置を平面２０の手前側上方に設定すると共に、この視点の向きを平面２０の手前から奥に向かう斜め下方向に設定することで、図６に示すように、三次元空間を、この視点から見た三次元画像に変換して、これをＧＵＩ画面２１として表示コントローラ８を介して表示部９に表示させる。つまりこの場合のＧＵＩ画面２１は、平面２０の手前からこの平面２０を斜めに見下ろした三次元画像でなる。尚、この図６に示すような三次元画像をＧＵＩ画面２１として表示する状態を、以下、オーバールックモードと呼ぶことにする。
【００２７】
また、このオーバールックモード時、ＣＰＵ２は、ＧＵＩ画面２１内の平面２０の一部分を選択するための四角形の枠（以下、これを部分選択枠とも呼ぶ）２２を、平面２０上に表示させると共に、この部分選択枠２２を例えばマウスカーソルＣｕの移動に合わせて平面２０上を移動させ、マウスボタンのクリック（ただしマウスカーソルＣｕがフォルダアイコンＦｏまたはファイルアイコンＦｉに重なっていない場所でのクリック）に応じてこの部分選択枠２２で囲まれる平面２０の一部分を選択するようになされている。ちなみに、この部分選択枠２２で囲まれる平面２０の一部分を、以下、部分平面２０Ａと呼ぶ。
【００２８】
そしてＣＰＵ２は、部分平面２０Ａが選択されたことを認識すると、三次元空間に対する視点の位置を、選択した部分平面２０Ａの中心の上方（ここでは、オーバールックモード時よりも平面２０に近い位置とする）に変更すると共に、この視点の向きを真下に変更することで、図７に示すように、ＧＵＩ画面２１を、この視点から見た三次元画像に変更する。つまり、この場合のＧＵＩ画面２１は、選択した部分平面２０Ａを拡大して真上から見下ろした三次元画像でなる。ちなみに、図７は、２個のフォルダアイコンＦｏ１及びＦｏ２と、４個のファイルアイコンＦｉ１〜Ｆｉ４とが配置された部分を部分平面２０Ａとして選択した例であり、ここではファイルアイコンＦｉ１とファイルアイコンＦｉ２とが画像ファイルに対応するアイコンであり、ファイルアイコンＦｉ３とファイルアイコンＦｉ４とが音楽ファイルに対応するアイコンであるとする。尚、この図７に示すような三次元画像をＧＵＩ画面２１として表示する状態を、以下、アプローチモードとも呼ぶ。
【００２９】
このように、このアプローチモード時のＧＵＩ画面２１では、平面２０の所望の部分を、拡大して真上から見下ろした三次元画像が表示されることにより、フォルダアイコンＦｏの表面に表示されたフォルダ名や、ファイルアイコンＦｉの表面に表示されたファイルの内容を示す画像や文字を、ユーザに対してより確認させ易くなされている。
【００３０】
また、このアプローチモード時、ＣＰＵ２は、ＧＵＩ画面２１内の部分平面２０Ａ上の隅に、付加機能である例えばコピーを割り当てたアイコン（以下、これをコピーアイコンとも呼ぶ）Ｃｉと、削除を割り当てたアイコン（以下、これを削除アイコンとも呼ぶ）Ｄｉと、ショートカットの作成を割り当てたアイコン（以下、これをショートカットアイコンとも呼ぶ）Ｓｉと、ファイルまたはフォルダの分類を割り当てたアイコン（以下、これを分類アイコンとも呼ぶ）Ｒｉとを表示する。
【００３１】
ここで、ＣＰＵ２は、マウスの操作により、例えば図８に示すように、削除アイコンＤｉがＧＵＩ画面２１内のファイルアイコンＦｉ４上にドラッグアンドドロップさせられたことを認識すると、この削除アイコンＤｉに割り当てられた付加機能を、ファイルアイコンＦｉ４に対応するファイルに実行する。つまり、この場合、ファイルアイコンＦｉ４に対応するファイルに対して、削除アイコンＤｉに割り当てられた付加機能である削除が実行される。この結果、ファイルアイコンＦｉ４に対応するファイルがパーソナルコンピュータ１内から削除されると共に、図９に示すように、ＧＵＩ画面２１からファイルアイコンＦｉ４が削除される。またこのようにファイルの削除が実行された後、削除アイコンＤｉは、元の位置に戻るようになされている。
【００３２】
尚、以下では、付加機能が割り当てられたコピーアイコンＣｉ、削除アイコンＤｉ、ショートカットアイコンＳｉ、分類アイコンＲｉを、フォルダアイコンＦｏやファイルアイコンＦｉ上にドラッグアンドドロップする操作を、貼り付けと呼ぶ。また、コピーアイコンＣｉ、削除アイコンＤｉ、ショートカットアイコンＳｉ、分類アイコンＲｉをまとめて付加機能アイコンとも呼ぶ。
【００３３】
このように、アプローチモード時のＧＵＩ画面２１では、付加機能アイコンを、ファイルアイコンＦｉやフォルダアイコンＦｏに貼り付けるだけの簡単な操作によって、付加機能アイコンに割り当てられている付加機能を、この付加機能アイコンが張り付けられたファイルアイコンＦｉやフォルダアイコンＦｏに対して実行し得るようになされている。
【００３４】
さらに、このアプローチモード時、ＣＰＵ２は、マウスの操作により、例えば図１０に示すように、ショートカットアイコンＳｉがＧＵＩ画面２１内の分類アイコンＲｉ上に張り付けられたことを認識すると、図１１に示すように、このショートカットアイコンＳｉに割り当てられた付加機能と、分類アイコンＲｉに割り当てられた付加機能とを組み合わせた付加機能を割り当てた新たなアイコンＱｉ（以下、これをショートカット分類アイコンとも呼ぶ）を生成してＧＵＩ画面２１内に表示する。つまり、この場合、ショートカット分類アイコンＱｉは、ファイル、フォルダを分類すると共に、ショートカットを作成する新たな付加機能が割り当てられたアイコンとなる。
【００３５】
このように、アプローチモード時のＧＵＩ画面２１では、付加機能アイコンを、別の付加機能アイコンに貼り付けるだけの簡単な操作によって、一方の付加機能アイコンに割り当てられている付加機能と、他方の付加機能アイコンに割り当てられている付加機能とを組み合わせた新たな付加機能を有する付加機能アイコンを生成することができるようになされている。
【００３６】
さらに、このアプローチモード時、ＣＰＵ２は、マウスの操作により、例えばフォルダアイコンＦｏ１が選択されたことを認識すると、フォルダ詳細モードに移行する。このフォルダ詳細モード時のＧＵＩ画面２１は、図１２に示すように、上部２１Ａ、中部２１Ｂ及び下部２１Ｃに区分けされ、上部２１Ａには、その中心に、選択されたフォルダアイコンＦｏ（例えば、フォルダアイコンＦｏ１）が表示され、このフォルダアイコンＦｏの両脇に付加機能アイコン（例えば、コピーアイコンＣｉ、削除アイコンＤｉ、ショートカットアイコンＳｉ、分類アイコンＲｉ）が表示される。
【００３７】
ＧＵＩ画面２１の中部２１Ｂには、選択されたフォルダアイコンＦｏに対応するフォルダの直下（つまり一つ下の階層）に記憶されている複数のファイルやフォルダのそれぞれに対応する複数のファイルアイコンＦｉやフォルダアイコンＦｏが、ＧＵＩ画面２１の左右を二分する中心線（図示せず）を境にして、この中心線から左に向かって及び右に向かって一部分が重なるように並べて表示される。ただし、この中部２１Ｂには、フォルダアイコンＦｏもファイルアイコンＦｉと同様、紙を模した形状で表示される。すなわち、この中部２１Ｂには、本のページに模した複数のファイルアイコンＦｉやフォルダアイコンＦｏが、本の中とじに模した中心線を境にして、本のページを見開いたように表示される。ちなみに、この中部２１Ｂに表示される複数のファイルアイコンＦｉやフォルダアイコンＦｏは、マウス操作により選択可能なアイコンである。
【００３８】
実際上、図１２は、中心線から左に向かってフォルダアイコンＦｏ１０及びフォルダアイコンＦｏ１１が、フォルダアイコンＦｏ１０にフォルダアイコンＦｏ１１の一部分が重なるようにして並べて表示され、また中心線から右に向かってフォルダアイコンＦｏ１２、フォルダアイコンＦｏ１３及びフォルダアイコンＦｏ１４が、フォルダアイコンＦｏ１２にフォルダアイコンＦｏ１３の一部分が重なり、フォルダアイコンＦｏ１３にフォルダアイコンＦｏ１４の一部分が重なるようにして並べて表示された例である。つまりこの場合、本のページに模したフォルダアイコンＦｏ１０、Ｆｏ１１、Ｆｏ１２、Ｆｏ１３及びＦｏ１４のうち、中心線に最も近いフォルダアイコンＦｏ１０とフォルダアイコンＦｏ１２とが見開くように表示された状態である。
【００３９】
ＧＵＩ画面２１の下部２１Ｃには、中部２１Ｂに表示されたフォルダアイコンＦｏ１０、Ｆｏ１１、Ｆｏ１２、Ｆｏ１３及びＦｏ１４のそれぞれの下方に、これらフォルダアイコンＦｏ１０、Ｆｏ１１、Ｆｏ１２、Ｆｏ１３及びＦｏ１４のそれぞれに対応するフォルダの内容を示すアイコンが表示される。ここで、このようなフォルダの内容を示すアイコンとは、例えば、フォルダの直下（つまり一つ下の階層）に記憶されている複数のフォルダやファイルのうちの１つに対応するフォルダアイコンＦｏまたはファイルアイコンＦｉである。ここで、複数のフォルダやファイルのうちの１つを選択する条件は、使用頻度が最も高いもの、ランダムで選択したもの、アルファベット順でソートしたときの先頭または最後にくるもの、ユーザ設定に基づくものなどとする。
【００４０】
実際上、図１２は、フォルダアイコンＦｏ１０の下方に、このフォルダアイコンＦｏ１０に対応するフォルダの直下に記憶されている複数のフォルダやファイルのうちのひとつに対応するファイルアイコンＦｉ１０が表示され、フォルダアイコンＦｏ１１の下方に、このフォルダアイコンＦｏ１１に対応するフォルダの直下に記憶されている複数のフォルダやファイルのうちのひとつに対応するファイルアイコンＦｉ１１が表示され、フォルダアイコンＦｏ１２の下方に、このフォルダアイコンＦｏ１２に対応するフォルダの直下に記憶されている複数のフォルダやファイルのうちのひとつに対応するファイルアイコンＦｉ１２が表示され、フォルダアイコンＦｏ１３の下方に、このフォルダアイコンＦｏ１３に対応するフォルダの直下に記憶されている複数のフォルダやファイルのうちのひとつに対応するファイルアイコンＦｉ１３が表示され、フォルダアイコンＦｏ１４の下方に、このフォルダアイコンＦｏ１４に対応するフォルダの直下に記憶されている複数のフォルダやファイルのうちのひとつに対応するファイルアイコンＦｉ１４が表示された例である。
【００４１】
また、この下部２１Ｃに表示されるファイルアイコンＦｉ１０、Ｆｉ１１、Ｆｉ１２、Ｆｉ１３及びＦｉ１４は、互いに重ならないように、例えば中部２１Ｂに表示されるアイコンよりもサイズが縮小されると共に４５度傾けられて表示されるようになされている。ちなみに、このとき、中部２１Ｂに表示されているフォルダアイコンＦｏ１０、Ｆｏ１１、Ｆｏ１２、Ｆｏ１３及びＦｏ１４の見開きに対応させるように、中心線（図示せず）から左に位置するファイルアイコンＦｉ１０、Ｆｉ１１は半時計周りに４５度傾けられ、中心線から右に位置するファイルアイコンＦｉ１２、Ｆｉ１３、Ｆｉ１４は時計周りに４５度傾けられるようになされている。
【００４２】
さらに、このフォルダ詳細モード時、ＣＰＵ２は、例えば、図１３に示すように、マウスカーソルＣｕが中部２１Ｂ内で中心線の右から左に向けて移動させられたことを認識すると、図１４に示すように、本のページをめくるようにして、フォルダアイコンＦｏ１２を中心線の左に移動させると共に、このフォルダアイコンＦｏ１２を中心線の左に移動させた分、フォルダアイコンＦｏ１０及びフォルダアイコンＦｏ１１を左にずらして中心線から遠ざけると共に、フォルダアイコンＦｏ１３及びフォルダアイコンＦｏ１４を左にずらして中心線に近づける。尚、以下では、このような、中部２１Ｂに表示されているフォルダアイコンＦｏやファイルアイコンＦｉを、中心線の右から左へ、またはその逆へ移動させる操作を、めくり操作と呼ぶ。
【００４３】
この結果、中部２１Ｂには、中心線から左に向かってフォルダアイコンＦｏ１２、フォルダアイコンＦｏ１０及びフォルダアイコンＦｏ１１が、フォルダアイコンＦｏ１２にフォルダアイコンＦｏ１０の一部分が重なり、フォルダアイコンＦｏ１０にフォルダアイコンＦｏ１１の一部分が重なるようにして並べて表示され、また中心線から右に向かってフォルダアイコンＦｏ１３及びフォルダアイコンＦｏ１４が、フォルダアイコンＦｏ１３にフォルダアイコンＦｏ１４の一部分が重なるようにして並べて表示される。つまりこの場合、中心線に最も近いフォルダアイコンＦｏ１２とフォルダアイコンＦｏ１３とが見開くように表示された状態となる。
【００４４】
このようにしてフォルダアイコンＦｏ１２に対するめくり操作が行われたとき、ＣＰＵ２は、このめくり操作によるフォルダアイコンＦｏ１０〜Ｆｏ１４の移動に合わせて、下部２１Ｃに表示しているファイルアイコンＦｉ１０〜Ｆｉ１４の位置も移動するようになされている。つまり、フォルダアイコンＦｏ１０〜Ｆｏ１４のそれぞれと、ファイルアイコンＦｉ１０〜Ｆｉ１４のそれぞれとが、常に縦に並ぶ位置関係で表示されるようになされている。また、このとき、ＣＰＵ２は、フォルダアイコンＦｏ１２の移動に合わせて中心線の右から左へ移動するファイルアイコンＦｉ１２の傾き方向を、時計周りから半時計周りに変えるようにもなされている。
【００４５】
このように、フォルダ詳細モード時のＧＵＩ画面２１では、選択されたフォルダアイコンＦｏに対応するフォルダの直下に記憶されている複数のフォルダのそれぞれに対応するフォルダアイコンＦｏ１０〜Ｆｏ１４が、本のページのように重ねて表示されると共に、この重ねて表示されたフォルダアイコンＦｏ１０〜Ｆｏ１４に対してめくり操作を行うことでこれらフォルダアイコンＦｏ１０〜Ｆｏ１４のうちの任意のフォルダアイコンＦｏを見開くように移動させて表示するようにしたことにより、複数のアイコンのなかから所望のアイコンを探し出す操作を、より直感的に分かり易くし得るようになされている。くわえて、このときのＧＵＩ画面２１では、重ねて表示されたフォルダアイコンＦｏ１０〜Ｆｏ１４のそれぞれに対応するフォルダの内容を示すアイコンが、フォルダアイコンＦｏ１０〜Ｆｏ１４のそれぞれの下方に重ならないように表示されることで、重ねて表示されたフォルダアイコンＦｏ１０〜Ｆｏ１４のそれぞれを見開かなくとも、フォルダアイコンＦｏ１０〜Ｆｏ１４の内容をユーザに視認させることができるようになされている。
【００４６】
さらにＣＰＵ２は、上述の各モード（オーバールックモード、アプローチモード及びフォルダ詳細モード）において、マウスの操作により、任意のファイルアイコンＦｉが選択されたことを認識すると、ファイル再生モードに移行する。このファイル再生モード時のＧＵＩ画面２１に表示される内容は、選択されたファイルアイコンＦｉに対応するファイルの種類によって異なり、例えば選択されたファイルアイコンＦｉが画像ファイルに対応するアイコンであるならば、図１５に示すように、ＧＵＩ画面２１には、画像ファイルに基づく画像がＧＵＩ画面のサイズとほぼ同等のサイズで表示されるようになされている。
【００４７】
また、選択されたファイルアイコンＦｉが音楽ファイルに対応するアイコンであるならば、図１６に示すように、ＧＵＩ画面２１には、音楽ファイルに基づく音楽のタイトルと、音楽ファイルの再生、停止、巻き戻し、早送りなどを行うための再生制御ボタンＰＢ１〜ＰＢ４と、再生中の音楽ファイルの再生位置を示すバーＢａとが表示されるようになされている。
【００４８】
このようにＣＰＵ２は、オーバールックモード、アプローチモード、フォルダ詳細モード及びファイル再生モードの４つのモードを有している。また、これら４つのモードは、マウス操作により、図１７に示すように、自由に切り替えることができるようになされている。
【００４９】
実際上、ＣＰＵ２は、上述したような、オーバールックモードからアプローチモードへの切り替え、及びアプローチモードからフォルダ詳細モードへの切り替えだけでなく、例えば、アプローチモード時に、マウスカーソルＣｕがアイコンに重ならない場所に位置する状態でマウスボタンがクリックされると、オーバールックモードに切り換わるようにし、またオーバールックモード時に、マウスカーソルＣｕがフォルダアイコンＦｏに重なる場所に位置する状態でマウスボタンがクリックされると、フォルダ詳細モードに切り換わるようにするなど、所定のマウス操作によって、各モードを切り換えるようになされている。
【００５０】
（３）パーソナルコンピュータの動作処理手順
次に、上述した三次元空間の構築、ＧＵＩ画面２１の表示、モードの切り換えなどを含んだパーソナルコンピュータの動作処理手順について、図１８乃至図２０のフローチャートを用いて説明する。ちなみに、この動作処理手順は、パーソナルコンピュータ１のＣＰＵ２が、ハードディスクドライブ４またはＲＯＭ５から読み出したプログラムに従って実行するものである。
【００５１】
ＣＰＵ２は、パーソナルコンピュータ１が起動すると、図１８に示すように、動作処理手順ＲＴ１を開始ステップＳＰ１から開始して、初期化処理を行うサブルーチン（以下、これを初期化ルーチンとも呼ぶ）ＳＲＴ１（図１９）に移る。ＣＰＵ２は、この初期化ルーチンＳＲＴ１を開始ステップＳＰ１０から開始して、次のステップＳＰ１１に移る。
【００５２】
ステップＳＰ１１においてＣＰＵ２は、図３に示した仮想の三次元空間を構築して、次のステップＳＰ１２に移る。ステップＳＰ１２においてＣＰＵ２は、パーソナルコンピュータ１内のフォルダ構成を確認して、パーソナルコンピュータ１内の全フォルダ及び全ファイルから、複数のフォルダ及びファイルをランダムに選択して、次のステップＳＰ１３に移る。
【００５３】
ステップＳＰ１３においてＣＰＵ２は、三次元空間に配置する平面２０と、ステップＳＰ１２で選択した複数のフォルダ及びファイルのそれぞれに対応するフォルダアイコンＦｏ及びファイルアイコンＦｉとを生成した後、平面２０上に複数のフォルダアイコンＦｏとファイルアイコンＦｉとを配置して、終了ステップＳＰ１４に移り、この初期化ルーチンＳＲＴ１を終了する。
【００５４】
この初期化ルーチンＳＲＴ１によって、ＧＵＩ画面２１に必要な、平面２０、フォルダアイコンＦｏ、ファイルアイコンＦｉが配置された三次元空間が構築される。そして、ＣＰＵ２は、この初期化ルーチンＳＲＴ１を終了した後、メインルーチンである動作処理手順ＲＴ１のステップＳＰ２（図１８）に移り、このステップＳＰ２において、終了操作がなされたか否かを判定する。
【００５５】
このステップＳＰ２で肯定結果を得ると、このときＣＰＵ２は、終了ステップＳＰ４に移り、この動作処理手順ＲＴ１を終了する。これに対して、このステップＳＰ２で否定結果を得ると、ＣＰＵ２は、この動作処理手順ＲＴ１を継続して、ＧＵＩ画面２１の表示内容を決定する処理（以下、これを描画内容決定処理とも呼ぶ）を行うサブルーチン（以下、これを描画内容決定ルーチンとも呼ぶ）ＳＲＴ２（図２０）に移る。
【００５６】
ＣＰＵ２は、この描画内容決定ルーチンＳＲＴ２を開始ステップＳＰ２０から開始して、次のステップＳＰ２１に移る。ステップＳＰ２１においてＣＰＵ２は、ＧＵＩ画面２１に対する操作入力があるか否かを判定する。この場合、まだＧＵＩ画面２１を表示していない状態なのでＧＵＩ画面２１に対する操作入力は起こり得ず、このためＣＰＵ２は、このステップＳＰ２１で否定結果を得て、ステップＳＰ２２に移る。ステップＳＰ２２においてＣＰＵ２は、ＧＵＩ画面２１の表示内容を、初期モードとして設定されている例えばオーバールックモードの表示内容（図６）に決定して、終了ステップＳＰ２３に移り、この描画内容決定ルーチンＳＲＴ２を終了する。
【００５７】
そしてＣＰＵ２は、メインルーチンである動作処理手順ＲＴ１のステップＳＰ３（図１８）に移り、このステップＳＰ３において、描画内容決定ルーチンＳＲＴ２で決定した表示内容（この場合オーバールックモードの表示内容）のＧＵＩ画面を表示部９に表示させた後、再びステップＳＰ２に戻る。
【００５８】
ステップＳＰ２においてＣＰＵ２は、再度、終了操作がなされたか否かを判定して、肯定結果を得れば、終了ステップＳＰ４に移り、否定結果を得れば、再度、描画内容決定ルーチンＳＲＴ２に移る。ＣＰＵ２は、この描画内容決定ルーチンＳＲＴ２を開始ステップＳＰ２０から開始して、次のステップＳＰ２１に移り、このステップＳＰ２１において、ＧＵＩ画面２１に対する操作入力があるか否かを判定する。
【００５９】
この場合、上述したように、ＧＵＩ画面２１を表示した状態であるので、ＧＵＩ画面２１に対する操作入力が起こり得る。よって、ＣＰＵ２は、このステップＳＰ２１で肯定結果を得るときと、否定結果を得るときとがあり、肯定結果を得た場合には、ステップＳＰ２４に移る。
【００６０】
ステップＳＰ２４においてＣＰＵ２は、このとき操作入力部７から得られる操作入力情報（マウスカーソルの位置やマウスボタンのクリックの有無など）に基づき、マウスボタンがクリックされたときのマウスカーソルの位置に、ファイルアイコンＦｉが存在するか否かを判定する。このステップＳＰ２４で肯定結果を得ると、ＣＰＵ２は、このファイルアイコンＦｉが選択されたと認識して、ステップＳＰ２５に移り、このファイルアイコンＦｉに対応するファイルを選択状態にすると共に、モードをファイル再生モードとして、次のステップＳＰ２２に移る。これに対してステップＳＰ２４で否定結果を得ると、ＣＰＵ２は、ステップＳＰ２６に移る。
【００６１】
ステップＳＰ２６においてＣＰＵ２は、操作入力情報に基づき、マウスボタンがクリックされたときのマウスカーソルの位置に、フォルダアイコンＦｏが存在するか否かを判定する。このステップＳＰ２６で肯定結果を得ると、ＣＰＵ２は、このフォルダアイコンＦｏが選択されたと認識して、ステップＳＰ２７に移り、このフォルダアイコンＦｏに対応するフォルダを選択状態にすると共に、モードをフォルダ詳細モードとして、次のステップＳＰ２２に移る。これに対してステップＳＰ２６で否定結果を得ると、ＣＰＵ２は、ステップＳＰ２８に移る。
【００６２】
ステップＳＰ２８において、ＣＰＵ２は、操作入力情報に基づき、モードをオーバールックモードに切り換えるための特定のマウス操作が行われたか否かを判定する。このステップＳＰ２８で肯定結果を得ると、ＣＰＵ２は、ステップＳＰ２９に移り、モードをオーバールックモードとして、次のステップＳＰ２２に移る。これに対してステップＳＰ２８で否定結果を得ると、ＣＰＵ２は、モードをアプローチモードとして、次のステップＳＰ２２に移る。
【００６３】
ステップＳＰ２２においてＣＰＵ２は、前段のステップＳＰ２１で否定結果を得ているのであれば、ＧＵＩ画面２１の表示内容を現在のモードの表示内容のままとし、ステップＳＰ２５を経ているのであれば、ＧＵＩ画面２１の表示内容をファイル再生モードの表示内容に決定し、ステップＳＰ２７を経ているのであれば、ＧＵＩ画面２１の表示内容をフォルダ詳細モードの表示内容に決定し、ステップＳＰ２９を経ているのであれば、ＧＵＩ画面２１の表示内容をオーバールックモードの表示内容に決定し、ステップＳＰ３０を経ているのであれば、ＧＵＩ画面２１の表示内容をアプローチモードの表示内容に決定した後、終了ステップＳＰ２３に移り、この描画内容決定ルーチンＳＲＴ２を終了する。
【００６４】
そしてＣＰＵ２は、メインルーチンである動作処理手順ＲＴ１のステップＳＰ３（図１８）に移り、このステップＳＰ３において、描画内容決定ルーチンＳＲＴ２で決定した表示内容のＧＵＩ画面を表示部９に表示させた後、再びステップＳＰ２に戻り、以後、このステップＳＰ２で肯定結果が得られるまで、つまり終了操作がなされるまで、ステップＳＰ２、描画内容決定ルーチンＳＲＴ２、ステップＳＰ３の順で繰り返し実行する。
【００６５】
このような動作処理手順ＲＴ１にしたがい、ＣＰＵ２は、仮想の三次元空間の構築、ＧＵＩ画面２１の表示、モードの切り換えなどを行うようになされている。
【００６６】
ここで、アプローチモード時及びフォルダ詳細モード時に、付加機能アイコンが、フォルダアイコンＦｏやファイルアイコンＦｉに張り付けられたときの付加機能実行手順について図２１のフローチャートを用いて説明する。
【００６７】
ＣＰＵ２は、モードがアプローチモードまたはフォルダ詳細モードに移行したことを認識すると、この付加機能実行手順ＲＴ２を開始ステップＳＰ４０から開始して、ステップＳＰ４１に移る。ステップＳＰ４１においてＣＰＵ２は、付加機能アイコンによる貼り付け操作が行われるのを待ち受け、貼り付け操作が行われたことを認識すると、ステップＳＰ４２に移る。
【００６８】
ステップＳＰ４２においてＣＰＵ２は、付加機能アイコンに割り当てられている付加機能を、貼り付け先のフォルダアイコンＦｏまたはファイルアイコンＦｉに対して実行した後、再びステップＳＰ４１に戻って、付加機能アイコンによる貼り付け操作が行われるのを待ち受ける。
【００６９】
このような付加機能実行手順ＲＴ２にしたがい、ＣＰＵ２は、付加機能アイコンに割り当てられている付加機能を実行するようになされている。
【００７０】
（４）動作及び効果
以上の構成において、パーソナルコンピュータ１のＣＰＵ２は、仮想の三次元空間内に形成した机を模した平面２０上に、パーソナルコンピュータ１内の各フォルダに対応する本を模したフォルダアイコンＦｏと、パーソナルコンピュータ１内の各ファイルに対応する紙を模したファイルアイコンＦｉとを配置する。そしてＣＰＵ２は、このような仮想の三次元空間を三次元画像に変換して、これをＧＵＩ画面２１として表示部９に表示する（オーバールックモードまたはアプローチモード）。
【００７１】
これにより、ＣＰＵ２は、あたかも実際の机の上で本や紙を扱うような感覚で、フォルダに対する操作（例えば、選択、コピー、削除）及びファイルに対する操作（例えば、選択、コピー、削除）をユーザに行わせることができるので、従来と比して、より直感的に分かり易いＧＵＩを実現できる。
【００７２】
さらに、ＣＰＵ２は、平面２０上に配置したフォルダアイコンＦｏのいずれかが選択されたことを認識すると、この選択されたフォルダアイコンＦｏに対応するフォルダの詳細をＧＵＩ画面２１に表示する（フォルダ詳細モード）。
【００７３】
このとき、ＣＰＵ２は、ＧＵＩ画面２１に、選択されたフォルダアイコンＦｏに対応するフォルダの直下に記憶されている複数のフォルダのそれぞれに対応する複数のフォルダアイコンＦｏを、本のページのように重ねて表示すると共に、この重ねて表示した複数のフォルダアイコンＦｏに対してめくり操作を行うことで複数のフォルダアイコンＦｏのうちの任意のフォルダアイコンＦｏを見開くように移動させて表示するようにしたことにより、複数のフォルダアイコンＦｏのなかから所望のフォルダアイコンＦｏを探し出す操作を、本のページをめくるような感覚で、より直感的に分かり易くすることができる。
【００７４】
さらにこのとき、ＣＰＵ２は、本のページのように重ねて表示した複数のフォルダアイコンＦｏのそれぞれに対応するフォルダの内容を示すファイルアイコンＦｉを、複数のフォルダアイコンＦｏのそれぞれの下方に重ならないように表示することで、本のページのように重ねて表示した複数のフォルダアイコンＦｏのそれぞれを見開かなくとも、各フォルダアイコンＦｏの内容をユーザに視認させることができる。
【００７５】
以上の構成によれば、パーソナルコンピュータ１は、複数のファイル及びフォルダのそれぞれのアイコンを互いに重ねて表示部９に表示させると共に、重ねて表示した複数のアイコンに対して、所定の操作を行うことで、重ねて表示した複数のアイコンのうちの任意のアイコンを本のページを見開くように移動させて表示部９に表示させるようにしたことにより、複数のアイコンのなかから所望のアイコンを探し出す操作を、本のページをめくるような感覚で、より直感的に分かり易くすることができ、また、重ねて表示した複数のアイコンとは別に、これら重ねて表示したアイコンのそれぞれに対応するファイルやフォルダの内容を示す複数のアイコンをその内容が視認できるように表示部９に表示させるようにしたことにより、重ねて表示した複数のアイコンのそれぞれを見開くように移動させて表示しなくとも、各アイコンの内容をユーザに視認させることができるので、所望のファイルやフォルダのアイコンを容易に探し出すことができ、この結果、所望のデータを容易に探し出すことができる。
【００７６】
（５）他の実施の形態
尚、上述の第１の実施の形態では、フォルダ詳細モードにおいて、選択されたフォルダアイコンＦｏに対応するフォルダの直下に複数のフォルダが記憶されている場合に、これら複数のフォルダのそれぞれに対応する複数のフォルダアイコンＦｏを、中部２１Ｂに、本のページのように重ねて表示すると共に、これら複数のフォルダアイコンＦｏのそれぞれに対応するフォルダの内容を示すアイコン（つまり各フォルダの直下に記憶されているファイルの１つに対応するファイルアイコンＦｉ）を下部２１Ｃに重ならないように表示した場合を例として説明したが、例えば、選択されたフォルダアイコンＦｏに対応するフォルダの直下に、フォルダではなく複数のファイルが記憶されている場合には、以下のようにしてもよい。
【００７７】
すなわちこの場合、パーソナルコンピュータ１は、図２２に示すように、選択されたフォルダアイコンＦｏに対応するフォルダの直下に記憶されている複数のファイルのそれぞれに対応する複数のファイルアイコンＦｉ（例えば、ファイルアイコンＦｉ２０、Ｆｉ２１、Ｆｉ２２及びＦｉ２３）を、中部２１Ｂに、本のページのように重ねて表示すると共に、これら複数のファイルアイコンＦｉのそれぞれに対応するファイルの内容を示すアイコンを下部２１Ｃに重ならないように表示する。ここで、ファイルの内容を示すアイコンとは、例えば、中部２１Ｂに表示した複数のファイルアイコンＦｉのそれぞれの表示サイズを縮小したファイルアイコンＦｉ（例えば、ファイルアイコンＦｉ３０、Ｆｉ３１、Ｆｉ３２及びＦｉ３３）である。
【００７８】
このようにすることで、パーソナルコンピュータ１は、本のページのように重ねて表示した複数のファイルアイコンＦｉのそれぞれを見開かなくとも、各フォルダアイコンＦｉの内容をユーザに視認させることができる。
【００７９】
さらに上述の実施の形態では、フォルダ詳細モードにおいて、選択されたフォルダアイコンＦｏに対応するフォルダの直下に記憶されている複数のフォルダのそれぞれに対応する複数のフォルダアイコンＦｏを、中部２１Ｂに、本のページのように重ねて表示するようにした場合について述べたが、このとき例えば図２３に示すように、この重ねたフォルダアイコンＦｏのそれぞれを半透明に表示するようにしてもよい。こうすることで、中部２１Ｂに表示したフォルダアイコンＦｏからもある程度、対応するフォルダの内容をユーザに視認させることができる。
【００８０】
さらに上述の実施の形態では、フォルダ詳細モードにおいて、選択されたフォルダアイコンＦｏに対応するフォルダの直下に記憶されている複数のフォルダのそれぞれに対応する複数のフォルダアイコンＦｏを、紙に模した形状（つまり本のページに模した形状）で表示するようにした場合について述べたが、本発明はこれに限らず、オーバールックモード時やアプローチモード時と同様に厚みを持たせて表示するようにしてもよい
【００８１】
さらに上述の実施の形態では、フォルダ詳細モードにおいて、中部２１Ｂに表示された複数のフォルダアイコンＦｏのそれぞれに対応するフォルダの内容を示すアイコンとして、フォルダの直下（つまり一つ下の階層）に記憶されている複数のファイルのうちの１つに対応するファイルアイコンＦｉを下部２１Ｃに表示するようにした場合について述べたが、本発明はこれに限らず、例えば図２４に示すように、フォルダの内容を示すアイコンとして、フォルダの直下（つまり一つ下の階層）に記憶されている複数のファイルのそれぞれに対応するフォルダアイコンＦｏまたはファイルアイコンＦｉのうちの２つ以上を縦に並べて下部２１Ｃに表示するようにしてもよい。
【００８２】
さらに、例えば、図２５に示すように、中部２１Ｂに表示された複数のフォルダアイコンＦｏのそれぞれに対応するフォルダの内容を示すアイコンとして下部２１Ｃに表示されるファイルアイコンＦｉの表面に、同じフォルダの配下に記憶されているファイルの数を表示するようにしてもよい。こうすることで、各フォルダの配下に何個のファイルが記憶されているのかをユーザに認識させることもできる。また、このようにファイルの数をファイルアイコンＦｉの表面に表示するばかりでなく、例えば図２６に示すように、ファイアイコンＦｉに、ファイルの数に応じた厚さを持たせて表示するようにしてもよい。
【００８３】
さらに上述の実施の形態では、下部２１Ｃに表示する複数のファイルアイコンＦｉが重ならないように、表示サイズを縮小して向きを４５度傾けるようにした場合について述べたが、本発明はこれに限らず、複数のファイルアイコンＦｉの表面に表示されるファイルの内容が視認できるのであれば、複数のファイルアイコンＦｉが若干重なっていてもよいし、表示サイズを縮小するだけ、あるいは向きを傾けるだけでもよい。またこのときの縮小率、及び傾き角度は、複数のファイルアイコンＦｉの表面に表示されるファイルの内容が視認できる範囲内であれば、自由に設定することもできる。
【００８４】
さらに上述の実施の形態では、アプローチモード時と、フォルダ詳細モード時のＧＵＩ画面２１に、付加機能アイコンを表示するようにした場合について述べたが、本発明はこれに限らず、オーバールックモード時のＧＵＩ画面２１に付加機能アイコンを表示するようにして、オーバールックモード時でも付加機能を実行し得るようにしてもよい。
【００８５】
さらに上述の実施の形態では、フォルダアイコンＦｏやファイルアイコンＦｉに対する貼り付け操作やめくり操作といった各種操作を、所定のマウス操作により行う場合について述べたが、本発明はこれに限らず、これら各種操作を、上述の実施の形態で述べた所定のマウス操作とは異なるマウス操作により行うようにしてもよいし、キーボード操作により行うようにしてもよく、さらに、マウスやキーボード以外の種々の操作入力デバイス（例えば、タッチペン、タッチパネル、ジョイスティックなど）の操作により行うようにしてもよい。
【００８６】
さらに上述の実施の形態では、付加機能アイコンとして、コピーアイコンＣｉ、削除アイコンＤｉ、ショートカットアイコンＳｉ、分類アイコンＲｉをＧＵＩ画面２１に表示するようにした場合について述べたが、本発明はこれに限らず、例えば、ファイルの圧縮機能が割り当てられた圧縮アイコン、圧縮されたファイルの解凍機能が割り当てられた解凍アイコン、ファイルが削除できないようにロックする機能が割り当てられたロックアイコンなど、この他種々の機能が割り当てられたアイコンを、付加機能アイコンとして、ＧＵＩ画面２１に表示するようにしてもよい。
【００８７】
さらに上述の実施の形態では、付加機能アイコンがフォルダアイコンＦｏやファイルアイコンＦｉに張り付けられて、付加機能が実行された後、付加機能アイコンが元の位置に戻るようにした場合について述べたが、本発明はこれに限らず、付加機能アイコンが張り付けられた位置に留まるようにしてもよい。
【００８８】
さらに上述の実施の形態では、本発明を情報処理装置としてのパーソナルコンピュータ１に適用した場合について述べたが、本発明はこれに限らず、例えば、複数の画像データを扱うハードディスクレコーダやＤＶＤレコーダ、複数の音楽データを扱うオーディオプレイヤなど、複数のデータを扱う情報処理装置であれば、この他種々の情報処理装置に本発明を適用するようにしてもよい。
【００８９】
さらに上述の実施の形態では、パーソナルコンピュータ１のＣＰＵ２が、ハードディスクドライブ４またはＲＯＭ５にインストールされているプログラムに従って、上述した処理手順を実行する場合について述べたが、本発明はこれに限らず、この処理手順を実行するためのプログラムを、ＣＤ（Compact Disc）などの記録媒体に記録しておき、この記録媒体から読み出して実行するようにしてもよいし、例えば所定のネットワーク上のサーバからダウンロードして実行するようにしてもよい。
【００９０】
さらに上述の実施の形態では、ファイルやフォルダを選択項目として、これらを示す選択項目表示子としての複数のファイルアイコンＦｉやフォルダアイコンＦｏを互いに重ねて表示部９に表示させると共に、これら複数のファイルアイコンＦｉやフォルダアイコンＦｏのそれぞれに対応するファイルやフォルダの内容を示す項目内容表示子としてのフォルダアイコンＦｏやファイルアイコンＦｉをファイルやフォルダの内容が視認できるように表示部９に表示させる表示制御手段としてのＣＰＵ２及び表示コントローラ８と、重ねて表示された複数のファイルアイコンＦｉやフォルダアイコンＦｏに対して、所定の操作を行うための操作手段としての操作入力部７とによって、情報処理装置としてのパーソナルコンピュータ１を構成するようにした場合について述べたが、本発明はこれに限らず、同様の機能を有するのであれば、この他種々の構成で、パーソナルコンピュータ１を構成するようにしてもよい。ちなみに、表示部９は、例えばノートブック型のようにパーソナルコンピュータ１に直接設けられていてもよいし、別途ケーブルを介してパーソナルコンピュータ１に接続されていてもよい。
【産業上の利用可能性】
【００９１】
本発明は、複数のデータを扱う情報処理装置で広く利用することができる。
【図面の簡単な説明】
【００９２】
【図１】パーソナルコンピュータのハードウェア構成を示す略線図である。
【図２】パーソナルコンピュータの機能ブロック構成を示す略線図である。
【図３】仮想の三次元空間を示す略線図である。
【図４】フォルダアイコンを示す略線図である。
【図５】ファイルアイコンを示す略線図である。
【図６】オーバールックモード時のＧＵＩ画面を示す略線図である。
【図７】アプローチモード時のＧＵＩ画面（１）を示す略線図である。
【図８】アプローチモード時のＧＵＩ画面（２）を示す略線図である。
【図９】アプローチモード時のＧＵＩ画面（３）を示す略線図である。
【図１０】アプローチモード時のＧＵＩ画面（４）を示す略線図である。
【図１１】アプローチモード時のＧＵＩ画面（５）を示す略線図である。
【図１２】フォルダ詳細モード時のＧＵＩ画面（１）を示す略線図である。
【図１３】フォルダ詳細モード時のＧＵＩ画面（２）を示す略線図である。
【図１４】フォルダ詳細モード時のＧＵＩ画面（３）を示す略線図である。
【図１５】ファイル再生モード時のＧＵＩ画面（１）を示す略線図である。
【図１６】ファイル再生モード時のＧＵＩ画面（２）を示す略線図である。
【図１７】モードの切換遷移を示す略線図である。
【図１８】動作処理手順を示すフローチャートである。
【図１９】初期化処理手順を示すフローチャートである。
【図２０】描画内容決定処理手順を示すフローチャートである。
【図２１】付加機能実行処理手順を示すフローチャートである。
【図２２】他の実施の形態によるフォルダ詳細モード時のＧＵＩ画面（１）を示す略線図である。
【図２３】他の実施の形態によるフォルダ詳細モード時のＧＵＩ画面（２）を示す略線図である。
【図２４】他の実施の形態によるフォルダ詳細モード時のＧＵＩ画面（３）を示す略線図である。
【図２５】他の実施の形態によるフォルダ詳細モード時のＧＵＩ画面（４）を示す略線図である。
【図２６】他の実施の形態によるフォルダ詳細モード時のＧＵＩ画面（５）を示す略線図である。
【符号の説明】
【００９３】
１……パーソナルコンピュータ、２……ＣＰＵ、７……操作入力部、８……表示コントローラ、９……表示部、１０……仮想空間制御部、１１……ファイル管理部、１２……ファイル実行部、１３……付加機能実行部、１４……表示内容決定部、２０……平面、２０Ａ……部分平面、２１……ＧＵＩ画面、Ｃｉ、Ｄｉ、Ｒｉ、Ｓｉ、Ｑｉ……付加機能アイコン、Ｆｉ……ファイルアイコン、Ｆｏ……フォルダアイコン。
【図１】
2007257336.tif 000003
【図２】
2007257336.tif 000004
【図３】
2007257336.tif 000005
【図４】
2007257336.tif 000006
【図５】
2007257336.tif 000007
【図６】
2007257336.tif 000008
【図７】
2007257336.tif 000009
【図８】
2007257336.tif 000010
【図９】
2007257336.tif 000011
【図１０】
2007257336.tif 000012
【図１１】
2007257336.tif 000013
【図１２】
2007257336.tif 000014
【図１３】
2007257336.tif 000015
【図１４】
2007257336.tif 000016
【図１５】
2007257336.tif 000017
【図１６】
2007257336.tif 000018
【図１７】
2007257336.tif 000019
【図１８】
2007257336.tif 000020
【図１９】
2007257336.tif 000021
【図２０】
2007257336.tif 000022
【図２１】
2007257336.tif 000023
【図２２】
2007257336.tif 000024
【図２３】
2007257336.tif 000025
【図２４】
2007257336.tif 000026
【図２５】
2007257336.tif 000027
【図２６】
2007257336.tif 000028